(57)【要約】【課題】  重量を低減でき、便利に組合作業及び運搬ができるロッククライミング機の構造を提供する。【解決手段】  支持枠１と、回転機構３とを含む。支持枠１は、本体枠２を支持する。本体枠２は、矩形の枠体であり、両側にサイド枠２１が設けられている。各サイド枠２１の対向する側には開口２１１がそれぞれ形成してあり、開口２１１の間には複数の横方向支持ロッドと複数の縦方向支持ロッドとが設けられている。回転機構３は、本体枠２の中に設けられ、循環で回転する少なくとも２本のリンクベルトと、多数の横方向板３２と、動力装置３３とを含む。リンクベルトは多数のリンクと、リンクボルトから構成されている。各横方向板３２のリンクベルトの反対面にはクライミングするための多数のロック４が締結されている。【選択図】    図１
0003112375.tif 000002
【実用新案登録請求の範囲】
【請求項１】
支持枠と、回転機構とを含むロッククライミング機の構造において、
前記支持枠は地面に立設する本体枠を支持するためのものであり、前記本体枠は矩形の枠体であり、前記本体枠の両側には断面形状がほぼＣ字形を呈するサイド枠がそれぞれ設けてあり、各サイド枠の対向する側には開口がそれぞれ形成してあり、前記開口の間には本体枠の支持用クレームとする複数の横方向支持ロッドと複数の縦方向支持ロッドとが設けてあり、
前記回転機構は本体枠の中に設けられ、前記本体枠の縦方向に沿って循環で回転して互いに平行する少なくとも２本のリンクベルトと、前記本体枠の横方向に平行して設けられている多数の横方向板と、各リンクベルトを駆動する動力装置とを含み、前記リンクベルトは多数のリンクとリンクボルトから構成されているものであり、各リンクベルトが本体枠の中央に近接する位置に設置され、前記本体枠の各縦方向支持ロッドは各リンクベルトに対応して設置され、各縦方向支持ロッドには各リンクベルトのリンクボルトに応じて各リンクボルトが当接して摺動するための一つのレールが設けてあり、各横方向板が各リンクベルトに固定され、各リンクベルトが各横方向板の中段に近接する位置に設置され、各横方向板の両端がそれぞれ本体枠の二つのサイド枠の開口に延び込み、各横方向板の両端が前記開口の内縁に循環で摺動し、各横方向板のリンクベルトの反対面にはクライミングするための多数のロックがそれぞれ締結してあることを特徴とするロッククライミング機の構造。
【請求項２】
前記支持枠は、支持枠を地面に立設して支持するための一つの底枠を有し、前記底枠の両側には上へ延在する一つの支枠がそれぞれ設けてあり、前記本体枠が二つの支枠の間に枢着して設けてあり、前記本体枠は上段と中段と下段の枠体から構成されているものであり、中段の枠体が前記支持枠の二つの支枠の間に枢着して設けてあり、各枠体の内部には横方向支持ロッドと縦方向支持ロッドとがそれぞれ設けてあり、各枠体は互いに隣接する横方向支持ロッドによって一体に接合し、各枠体の接合する箇所の横方向支持ロッドは各横方向支持ロッドを結合するための複数の定位素子と複数の固定素子とを有し、前記中段の枠体の両側には一つの枢着軸がそれぞれ凸設してあり、枢着台と前記枢着軸の枢着により本体枠が支持枠の二つの支枠である程度に旋回可能になり、前記中段の枠体の両側には一つの調整片がそれぞれ設けてあり、前記調整片には複数の調整孔が開設してあり、前記支持枠の二つの支枠は各調整片にある調整孔に応じてピンが設けてあり、前記ピンを調整孔に挿入することにより、ある角度に旋回された本体枠が固定されることを特徴とする請求項１に記載のロッククライミング機の構造。
【請求項３】
前記定位素子は、一つの突起と、前記突起に挿入される窪みとから構成されているものであり、各突起と窪みは各枠体の接合する箇所の横方向支持ロッドに設けられていることを特徴とする請求項２に記載のロッククライミング機の構造。
【請求項４】
前記回転機構は、本体枠の縦方向に沿って平行に設置された３本のリンクベルトを含み、前記回転機構は更に二つのシャフトと、各シャフトに設置されて各リンクベルトの数量に対応するスプロケットと、各リンクベルトの張力を調整するための張力調整装置とを含み、互いに平行する各シャフトが前記本体枠の縦方向の両端に設置され、各シャフトの中段は複数の支持素子によって支持され、互いに対応する二つのスプロケットにはリンクベルトが巻いてあり、各リンクベルトにはリンクと連接するラグが等距離を置いて多数に設けてあり、前記横方向板が前記ラグに締結し、前記張力調整装置には何れか一つのシャフトの両端に応じて前記本体枠のサイド枠に沿って移動可能な移動台が枢着して設けてあり、各移動台の底部には軸方向に伸縮可能な調整ロッドが一つ設けてあり、各調整ロッドを伸縮することにより、移動台の位置が調整されて各リンクベルトの張力が調整され、前記動力装置は減速器を有するインバターモータであり、他側のシャフトの一端に設置されてシャフトと連結して駆動し、前記シャフトが各リンクベルトを駆動させて循環し、前記動力装置が設けられているシャフトには断面形状がほぼ多辺形の止めブロックが複数に設けられていることを特徴とする請求項１に記載のロッククライミング機の構造。
【請求項５】
各横方向板は、アルミ押出加工によって作製されたものであり、断面形状がほぼＵ字形を呈し、各横方向板の縦方向の両端にはサイド壁が垂直に設けてあり、二つのサイド壁の間には一つの収容台が形成してあり、前記収容台には複数のナットが設けてあり、ロックに挿通されるねじが前記ナットにねじ込まれてロックを横方向板に固定することを特徴とする請求項１に記載のロッククライミング機の構造。
【請求項６】
各横方向板の二つのサイド壁には、軟質の弾性帯がそれぞれ設けてあり、隣接する弾性帯が互いに当接すると、各横方向板の間の隙間がなくなり、各横方向板の本体枠にある二つのサイド枠に挿入した両端には耐磨耗片がそれぞれ嵌め設けてあり、前記開口の内縁に当接して摺動する前記耐磨耗片により摺動抵抗及び摺動騒音が低減されることを特徴とする請求項５に記載のロッククライミング機の構造。
【考案の詳細な説明】
【技術分野】
【０００１】
本考案は、ロッククライミング機の構造に係り、特に、強度が高くて重量が軽くて組付けが容易であり、個人的または家庭的なロッククライミング運動をするためのロッククライミング機の構造に関するものである。
【背景技術】
【０００２】
目下、ロッククライミング運動が盛んになっているが、野外での天然のロッククライミング場所が少なく、且つクライミングするときに安全問題がある。このため、人工的なロッククライミング場が開発され、人工的なロッククライミング場が適当に設計されているため、安全性がより高いが、従来の人工的なロッククライミング場の設置するスペースは広いため、設置コストが高く、一般のロッククライミングの使用者にとって値段が高すぎる。
【０００３】
従来のロッククライミング機は、枠体にカタピラーのような構造が設置され、カタピラー構造が伝動機構に連結してカタピラー構造の回転速度を制御し、なお、カタピラー構造の両側はリンクベルトまたは転がり素子などによって枠体のレール内に設置され、これにより、カタピラー構造がレールに沿って循環して回転し、また、カタピラー構造には多数のロックが設けてあり、これにより、使用者はロッククライミングをすることができる（特許文献１、特許文献２または特許文献３参照）。
【０００４】
上記の各種のロッククライミング機のカタピラー構造は、カタピラーの両側は支持され、カタピラーの中段部分は全く支持されず、しかしながら、ロックがカタピラーの中段部分に設置されているので、カタピラーの揺れ又は変形を回避するために、上記構造のカタピラーは極めて太いものにされ、そうしないと、使用者の体重に耐えられない。
【０００５】
例えば、特許文献１に開示されているように、多数の厚い板を互いに嵌めて連接して一つの連結素子によってカタピラー構造を形成し、また、特許文献２に開示されているように、多数の金属枠が互いに枢着して連結し、各金属枠の中に板体を嵌めることによってカタピラー構造を形成し、また、特許文献３に開示されているように、押出加工によって作製された多数の板体を互いに枢着することによってカタピラー構造を形成する。カタピラーの揺れ又は変形を回避するために、上記構造のカタピラーは極めて太いものにされ、カタピラー構造はロッククライミング機全体の重量の大部分を占め、ロッククライミング機全体の重量は数百キログラムであるため、移動作業が難しく、すなわち、上記のロッククライミング機は個人的または家庭的なロッククライミング運動に不向きである。
【０００６】
また、上記各種のロッククライミング機は、重いカタピラー構造を支持するために、フレームが大きくて太いものに設計され、そうすると、組付作業と運搬作業が難しくなり、個人的または家庭的なロッククライミング運動に不向きである。
【０００７】
一方、上記各種のロッククライミング機の全てはカタピラー構造を採用するので、板体と板体との間に隙間が形成され、特に、カタピラー構造の湾折する箇所では隙間がより大きくなり、これらの隙間は使用者の髪や衣服などを挟んで意外な事故の発生原因になる。
【０００８】
したがって、本考案の出願人はロッククライミング機を提案し、この構造がより軽いロッククライミング機は、底台の二つの枠の間に循環回転機構が設けてあり、前記循環回転機構は循環して回転するリンクベルトが複数で設けてあり、各リンクベルトには多数のラグが等距離を置いて設けてあり、前記ラグにより多数の横方向ロッドが設置され、各横方向ロッドの両端が二つの枠の開口内に嵌め込まれ、これにより、各リンクベルトに連結されている横方向ロッドが二つの枠の開口の内縁で循環して回転することができ、且つ各リンクベルトと横方向ロッドとの外面には各リンクベルトと横方向ロッドとをカバーするためのマッドが設けてあり、前記マッドの外面の前記ラグに対応する箇所にはロックが締結され、二つの枠の間には各リンクベルトに対応してＵ字形を呈する止め板が設けてある(特許文献４参照)。
【０００９】
二つの枠の間に循環で回転可能なリンクベルトを設置することにより、ロックを設置することができ、且つロックの受ける外力がリンクベルトに加えられ、リンクベルトに多数の横方向ロッドが等距離を置いて設置され、各横方向ロッドの両端がそれぞれ枠の開口内に差し込まれ、二つの枠の間には各リンクベルトが当接する複数のＵ字形台が設けてあり、これにより、ロックを内外側へ引く外力が吸収され、循環回転装置を簡易化することが可能になり、ロッククライミング機全体を軽量化することができる。
【００１０】
しかしながら、上記ロッククライミング機は、実際に使用される過程中に若干の欠点が発見されている。ロックはリンクベルトに固定され、ロックが内側への外力を受ける際には、リンクベルトがリンクでＵ字形台に当接し、リンクベルトが循環して回転するときに、磨耗および騒音が発生し、長時期で使用されると、リンクとＵ字形台とが磨耗し、回転が不調になり、さらにリンクベルトの強度が低下し、また、ロックが外側への外力を受ける際には、各横方向ロッドの両端は前記枠の開口の内側と摩擦し、横方向ロッドと前記枠の開口の内側には磨耗および騒音が発生する。
【００１１】
また、上記ロッククライミング機は、より軽いので、個人的または家庭的なロッククライミング機に使用することができるが、前記枠の長さは大人の身長より長く、前記枠は二つの部分に分けられているが、上記二つの部分の組合作業が難しいため、上記ロッククライミング機を個人で組合せることができず、また、二つの枠の間には支持構造がなく、底端にある底台だけによって支持されるので、全体構造の強度が不十分である。
【００１２】
また、上記ロッククライミング機の各横方向板は等距離を置いて設置されているため、横方向板と横方向板との間には隙間が形成され、横方向板の外面にマッドが被覆してあるが、クライミングしているときに、使用者は前記隙間に誤接触して前記マッドを下へ押し、前記マッドがリンクベルトまたは枠内のフレームに接触して磨耗する。
【００１３】
また、前記マッドは適当な張力を保持することが必要であるが、前記マッドは各横方向板の外面を被覆し、ロックによってリンクベルトに固定され、横方向板がスプロケットに移動されるとき、横方向板はスプロケットの円周に接し、図１２に示すように、横方向板の両側がマッドを引張り、引張られたマッドはロックが固定する箇所で破損し、酷い場合には横方向板は回転できなくなり、マッドに弾性素材が採用される場合には、マッドの内面がリンクベルト又は枠内のフレームと接触して磨耗し、且つ長時期で使用されると、マッドの弾性が低下し易い。
【００１４】
【特許文献１】米国特許第５５４９１９５号
【特許文献２】米国特許第５１２５８７７号
【特許文献３】米国特許第５９１９１１７号
【特許文献４】米国特許第６８６０８３６号
【考案の開示】
【考案が解決しようとする課題】
【００１５】
本考案の主な目的は、使用者がクライミングする各ロックの全てが各横方向板に固定され、各横方向板が各リンクベルトに駆動されるため、使用者が各ロックをクライミングするときに、縦方向の外力が各リンクベルトで受けられ、且つ使用者がクライミングするときに、本体枠への外力が縦方向支持ロッドによって支持され、且つリンクベルトのリンクボルトが縦方向支持ロッドのレールに当接して摺動し、これにより、リンクベルトと縦方向支持ロッドとの摩擦が低減され、各リンクベルトが外力を受けても順調に回転でき、したがって、各リンクベルトは縦方向の外力を受けられる能力が向上し、また、各リンクベルトが横方向板の中段に近接して設置されているため、各横方向板の中段の強度が向上し、各横方向板を従来のような重いカタピラー構造に設計する必要がないため、全体の重量が大幅に低減するロッククライミング機の構造を提供する。
【００１６】
本考案の次の目的は、本体枠の二つのサイド枠の間に複数の横方向支持ロッドと複数の縦方向支持ロッドが設けられているため、本体枠の強度が大幅に増加し、ひいては本体枠の中段が前記支持枠の二つの支枠の間に枢着し、且つ本体枠が複数段の枠体から構成されているものであり、各枠体の間には簡易な定位構造と固定構造とが設けてあるので、組合作業が極めて便利であり、且つ本体枠が複数段の枠体から構成されているため、運搬作業がより便利になるロッククライミング機の構造を提供する。
【００１７】
本考案の他の目的は、各横方向板が各リンクベルトに緊密に固定され、各横方向板によって本体枠内の横方向支持ロッド、縦方向支持ロッド及びリンクベルトなどの部材をカバーし、且つ各横方向板のサイド壁には弾性帯が設けてあり、隣接する横方向板の弾性帯が互いに緊迫して横方向板の間の隙間をなくし、これにより、使用者の髪や衣服が挟まれることを回避でき、従来のようにマッドを使用する必要がなくなるロッククライミング機の構造を提供する。
【００１８】
本考案のもう一つの目的は、各横方向板が各リンクベルトに緊密に固定され、二つのシャフトの間に位置する各横方向板は一つの平面を形成し、スプロケットに位置する各横方向板の間には隙間が形成され、使用者の足が前記隙間に挿入することを防止するために、シャフトには複数の止めブロックが設けてあり、且つ各止めブロックの断面形状はほぼ多辺形を呈し、各止めブロックにより使用者の足が前記隙間に挿入することを防止できるロッククライミング機の構造を提供する。
【００１９】
本考案のもう一つの目的は、各横方向板の本体枠の両側にあるサイド枠内に挿入する端部には耐磨耗片がそれぞれ設けてあり、前記耐磨耗片は耐磨材料で作製されたものであり、各横方向板がサイド枠にある開口の内縁で循環して回転するときに、前記耐磨耗片が開口の内縁に当接することにより、両者の磨耗による騒音を低減できるロッククライミング機の構造を提供する。
【課題を解決するための手段】
【００２０】
上記目的を達成するためになされた本考案は、支持枠と、回転機構とを含むロッククライミング機の構造において、前記支持枠は地面に立設する本体枠を支持するためのものであり、前記本体枠は矩形の枠体であり、前記本体枠の両側には断面形状がほぼＣ字形を呈するサイド枠がそれぞれ設けてあり、各サイド枠の対向する側には開口がそれぞれ形成してあり、前記開口の間には本体枠の支持用クレームとする複数の横方向支持ロッドと複数の縦方向支持ロッドとが設けてあり、前記回転機構は本体枠の中に設けられ、主に、前記本体枠の縦方向に沿って循環で回転して互いに平行する少なくとも２本のリンクベルトと、前記本体枠の横方向に平行して設けられた多数の横方向板と、各リンクベルトを駆動する動力装置とを含み、前記リンクベルトは多数のリンクとリンクボルトから構成されているものであり、各リンクベルトが本体枠の中央に近接する位置に設置され、前記本体枠の各縦方向支持ロッドは各リンクベルトに対応して設置され、各縦方向支持ロッドは各リンクベルトのリンクボルトに応じて各リンクボルトが当接して摺動するための一つのレールが設けてあり、なお、各横方向板が各リンクベルトに固定され、各リンクベルトが各横方向板の中段に近接する位置に設置され、各横方向板の両端がそれぞれ本体枠の二つのサイド枠の開口に延び込み、各横方向板の両端が前記開口の内縁に循環で摺動し、且つ各横方向板のリンクベルトの反対面にはクライミングするための多数のロックがそれぞれ締結されていることを特徴とするロッククライミング機の構造であることを要旨としている。
【００２１】
本考案に係るロッククライミング機の構造によれば、使用者がクライミングする各ロックの全てが各横方向板に固定され、各横方向板が各リンクベルトに駆動されるので、使用者が各ロックをクライミングするときに、縦方向の外力が各リンクベルトで受けられ、且つ使用者がクライミングするときに、本体枠への外力が縦方向支持ロッドによって支持され、且つリンクベルトのリンクボルトが縦方向支持ロッドのレールに当接して摺動し、これにより、リンクベルトと縦方向支持ロッドとの摩擦が低減され、各リンクベルトが外力を受けても順調に回転でき、したがって、各リンクベルトは縦方向外力を受けられる能力が向上し、また、各リンクベルトが横方向板の中段に近接して設置されているため、各横方向板の中段の強度が向上し、各横方向板が従来のような重いカタピラー構造を設計する必要がないため、全体の重量が大幅に低減する。
【考案を実施するための最良の形態】
【００２２】
以下、添付図面を参照して本考案の好適な実施の形態を詳細に説明する。
まず、図１から図５を参照する。本考案の一実施例によるロッククライミング機の構造は、支持枠１と、回転機構３とを含む。
【００２３】
前記支持枠１は、地面に立設する本体枠２を支持するための底枠１１を有し、前記底枠１１の両側にはそれぞれ上へ延びて前記本体枠２を設けるための支枠１２が形成され、本実施例では、前記本体枠２が二つの支枠１２の間に枢着して設けられている。
【００２４】
前記本体枠２は、複数段の枠体から構成された矩形の枠体であり、前記本体枠２の両側には断面形状がほぼＣ字形を呈するサイド枠２１がそれぞれ設けてあり、各サイド枠２１の対向する側には開口２１１がそれぞれ形成してあり、前記開口２１１の間には本体枠２の支持用クレームとする複数の横方向支持ロッド２１２と複数の縦方向支持ロッド２１３とが設けてあり、本実施例では、前記本体枠２は上段と中段と下段の枠体２２から構成されたものであり、各枠体２２の内部には横方向支持ロッド２１２と縦方向支持ロッド２１３とがそれぞれ設けてあり、各枠体２２は互いに隣接する横方向支持ロッド２１２によって一体で接合し、各枠体２２の接合する箇所の横方向支持ロッド２１２は各横方向支持ロッド２１２を結合するための複数の定位素子２１４と複数の固定素子２１５とを有し、本実施例では、前記定位素子２１４は一つの突起２１４Ａと前記突起２１４Ａに挿入される窪み２１４Ｂとから構成されているものであり、図６に示すように、各突起２１４Ａと窪み２１４Ｂが各枠体２２の接合する箇所の横方向支持ロッド２１２に設けられ、なお、前記中段枠体２２の両側には一つの枢着軸２３がそれぞれ凸設してあり、枢着台２４と前記枢着軸２３の枢着により本体枠２が支持枠１の二つの支枠１２である程度に旋回可能になり、前記中段枠体２２の両側には一つの調整片２５がそれぞれ設けてあり、前記調整片２５には複数の調整孔２５１が開設してあり、前記支持枠１の二つの支枠１２には各調整片２５にある調整孔２５１に応じてピン１３が設けてあり、前記ピン１３を調整孔２５１に挿入することにより、ある角度に旋回された本体枠２が固定される。
【００２５】
前記回転機構３は、本体枠２の中に設けられ、主に、前記本体枠２の縦方向に沿って循環で回転して互いに平行する少なくとも２本のリンクベルト３１と、前記本体枠２の横方向に平行して設けられている多数の横方向板３２と、各リンクベルト３１を駆動する動力装置３３とを含み、前記リンクベルト３１は多数のリンク３１１と多数のリンクボルト３１２とから構成されたものであり、各リンクベルト３１が本体枠２の中央に近接する位置に設置され、前記本体枠２の各縦方向支持ロッド２１３は各リンクベルト３１に対応して設置され、各縦方向支持ロッド２１３には各リンクベルト３１のリンクボルト３１２に応じて各リンクボルト３１２が当接して摺動するための一つのレール２１６が設けてあり、なお、各横方向板３２が各リンクベルト３１に固定され、各リンクベルト３１が各横方向板３２の中段に近接する位置に設置される。
【００２６】
本実施例では、当該回転機構３には本体枠２の縦方向に沿って互いに平行して等距離を置いて設置されたリンクベルト３１が３本設けてあり、且つ前記回転機構３は更に二つのシャフト３４と、各シャフト３４に設置されて各リンクベルト３１の数量に対応するスプロケット３５と、各リンクベルト３１の張力を調整するための張力調整装置３６とを含み、互いに平行する各シャフト３４が前記本体枠２の縦方向の両端に設置され、各シャフト３４の中段は複数の支持素子３８によって支持され、互いに対応する二つのスプロケット３５にはリンクベルト３１が巻いてあり、各リンクベルト３１にはリンク３１１と連接したラグ３１３が等距離を置いて多数に設けてあり、前記横方向板３２が前記ラグ３１３に締結し、前記張力調整装置３６には何れか一つのシャフト３４の両端に応じて前記本体枠２のサイド枠２１に沿って移動可能な移動台３６１が枢着して設けてあり、図７に示すように、各移動台３６１の底部には軸方向に伸縮可能な調整ロッド３６２が一つ設けてあり、各調整ロッド３６２を伸縮することにより、移動台３６１の位置が調整されて各リンクベルト３１の張力が調整され、なお、当該動力装置３３は減速器を有するインバターモータであり、他側のシャフト３４の一端に設置されてシャフト３４と連結して駆動され、前記シャフト３４が各リンクベルト３１を駆動させて循環し、且つ前記動力装置３３が設けられているシャフト３４には止めブロック３７が複数に設けてあり、本実施例では、図８に示すように、止めブロック３７は断面形状がほぼ多辺形を呈し、横方向板３２がスプロケット３５に到達したときに形成される開口を塞ぐ。
【００２７】
各横方向板３２は、リンクベルト３１が設置された面の反対面に複数のロック４が締結してあり、ロック４により使用者はクライミングすることができ、本実施例では、各横方向板３２はアルミ押出加工によって作製されたものであり、図９に示すように、断面形状がほぼＵ字形を呈し、各横方向板３２の縦方向の両端にはサイド壁３２１が垂直に設けてあり、二つのサイド壁３２１の間には一つの収容台３２２が形成してあり、前記収容台３２２には複数のナット３２３が設けてあり、ロック４に挿通されるねじ３２４が前記ナット３２３にねじ込まれてロック４を横方向板３２に固定し、また、各横方向板３２の二つのサイド壁３２１には軟質の弾性帯３２５がそれぞれ設けてあり、隣接する弾性帯３２５が互いに当接すると、各横方向板３２の間の隙間がなくなり、各横方向板３２の本体枠２にある二つのサイド枠２１に挿入した両端には耐磨耗片３２６がそれぞれ嵌め設けてあり、前記開口２１１の内縁に当接して摺動する前記耐磨耗片３２６により摺動抵抗および摺動騒音が低減される。
【００２８】
前記回転機構３の動力装置３３によって各リンクベルト３１が駆動されて、各横方向板３２が本体枠２の縦方向に沿って循環して回転することになり、ひいては各横方向板３２に固定されたロック４の位置が変化し、且つ前記動力装置３３のインバターモータによってリンクベルト３１の回転速度を調整することができ、使用者は位置が持続して変化するロック４によってロッククライミングをすることができる。
【００２９】
各ロック４が各横方向板３２に固定され、且つ各横方向板３２がリンクベルト３１に駆動されるため、使用者がロック４を踏むときには、縦方向の外力は各リンクベルト３１で受けられ、且つ使用者がクライミングするときに、本体枠２への外力が縦方向支持ロッド２１３によって支持され、且つリンクベルト３１のリンクボルト３１２が縦方向支持ロッド２１３のレール２１６に当接して摺動し、これにより、リンクベルト３１と縦方向支持ロッド２１３との摩擦が低減され、各リンクベルト３１は外力を受けても順調に回転することができ、したがって、各リンクベルト３１は縦方向外力を受けられる能力が向上し、また、各リンクベルト３１が横方向板３２の中段に近接して設置されているので、各横方向板３２の中段の強度が向上し、各横方向板３２を従来のような重いカタピラー構造に設計する必要がないので、全体の重量が大幅に低減する。
【００３０】
また、本体枠２の二つのサイド枠２１の間には複数の横方向支持ロッド２１２と複数の縦方向支持ロッド２１３とが設けてあるので、本体枠２の強度が大幅に増加し、ひいては本体枠２の中段が前記支持枠１の二つの支枠１２の間に枢着し、且つ本体枠２が３段の枠体２２から構成されているものであり、各枠体２２の間には簡易な定位構造と固定構造とが設けてあるので、組合作業が極めて便利であり、組合するときには、図１０に示すように、二つの支枠１２の間に中段枠体２２を枢着させて、調整片２５により中段枠体２２をほぼ水平状態にして、定位素子２１４と固定素子２１５とにより上段の枠体２２と下段の枠体２２とを中段の枠体２２に固定して、リンクベルト３１と横方向板３２とを順に組付けて、最後に、動力装置３３をシャフト３４に連結させて、張力調整装置３６を調整してリンクベルト３１の張力を調整すると、組合作業が完成し、本体枠２が３段の枠体２２から構成されているため、運搬作業がもっと便利になる。
【００３１】
また、各横方向板３２が各リンクベルト３１に緊密に固定され、各横方向板３２によって本体枠２内の横方向支持ロッド２１２と縦方向支持ロッド２１３とリンクベルト３１などの部材がカバーされ、且つ各横方向板３２のサイド壁３２１には弾性帯３２５が設けてあり、隣接する横方向板３２の弾性帯３２５が互いに緊迫して横方向板３２の間の隙間をなくし、これにより、使用者の髪や衣服が挟まれることを回避でき、従来のようにマッドを使用する必要がなくなる。
【００３２】
また、各横方向板３２が各リンクベルト３１に緊密に固定され、二つのシャフト３４の間に位置する各横方向板３２は一つの平面を形成し、スプロケット３５に位置する各横方向板３２の間には隙間が形成され、使用者の足が前記隙間に挿入することを防止するために、シャフト３４には複数の止めブロック３７が設けてあり、且つ各止めブロック３７の断面形状はほぼ多辺形を呈し、各止めブロック３７によって使用者の足が前記隙間に挿入することを防止でき、使用安全性が向上する。
【００３３】
また、各横方向板３２の本体枠２の両側にあるサイド枠２１内に挿入する端部には耐磨耗片３２６がそれぞれ設けてあり、前記耐磨耗片３２６は耐磨材料で作製されたものであり、各横方向板３２がサイド枠２１にある開口２１１の内縁で循環して回転するときに、前記耐磨耗片３２６が開口２１１の内縁に当接することにより、両者の磨耗による騒音を低減することができる。
【図面の簡単な説明】
【００３４】
【図１】本考案の一実施例によるロッククライミング機の構造を示す斜視図である。
【図２】本考案の一実施例によるロッククライミング機の構造を示す側面図である。
【図３】本考案の一実施例によるロッククライミング機の構造の本体枠の内部の構造とリンクベルトの位置を示す概略図である。
【図４】図１を４−４線で切断した断面図である。
【図５】図１を５−５線で切断した断面図である。
【図６】図３を６−６線で切断した断面図である。
【図７】本考案の一実施例によるロッククライミング機の構造の張力調整装置の構造を示す概略図である。
【図８】本考案の一実施例によるロッククライミング機の構造の止めブロックの構造を示す概略図である。
【図９】本考案の一実施例によるロッククライミング機の構造の横方向板の構造を示す概略図である。
【図１０】本考案の一実施例によるロッククライミング機の構造の組付け状態を示す概略図である。
【図１１】本考案の一実施例によるロッククライミング機の構造の横方向板の弾性帯によって隙間をカバーする状態を示す概略図である。
【図１２】従来のロッククライミング機のマッドが横方向ロッドに上げられた状態を示す概略図である。
【符号の説明】
【００３５】
１  支持枠、２  本体枠、３  回転機構、４  ロック、１１  底枠、１２  支枠、１３  ピン、２１  サイド枠、２２  枠体、２３  枢着軸、２４  枢着台、２５  調整片、３１  リンクベルト、３２  横方向板、３３  動力装置、３４  シャフト、３５  スプロケット、３６  張力調整装置、３７  止めブロック、３８  支持素子、２１１  開口、２１２  横方向支持ロッド、２１３  縦方向支持ロッド、２１４  定位素子、２１４Ａ  突起、２１４Ｂ  窪み、２１５  固定素子、２１６  レール、２５１  調整孔、３１１  リンク、３１２  リンクボルト、３１３  ラグ、３２１  サイド壁、３２２  収容台、３２３  ナット、３２４  ねじ、３２５  弾性帯、３２６  耐磨耗片、３６１  移動台、３６２  調整ロッド
【図１】
0003112375.tif 000003
【図２】
0003112375.tif 000004
【図３】
0003112375.tif 000005
【図４】
0003112375.tif 000006
【図５】
0003112375.tif 000007
【図６】
0003112375.tif 000008
【図７】
0003112375.tif 000009
【図８】
0003112375.tif 000010
【図９】
0003112375.tif 000011
【図１０】
0003112375.tif 000012
【図１１】
0003112375.tif 000013
【図１２】
0003112375.tif 000014